(57)【特許請求の範囲】
【請求項１】
建物の開口部に配される羽根部材を、昇降機構により昇降、傾動させるようにしてなるブラインド装置であって、羽根部材は、羽根本体と、この羽根本体の内側の少なくともその長手方向の両端部に一体的に形成された一対の嵌合部とを具備しており、羽根本体の両端部の夫々で支持部材を介して昇降機構において羽根本体を傾動させる一対のリンク列を具備したリンク機構に支持されており、各支持部材は、線状部材からなり、略Ｕ字状に曲げられたその一端部が羽根部材の一対の嵌合部間に嵌合されており、その中間部が一方のリンク列のリンク部材の連結部の軸として当該一方のリンク列のリンク部材同士を回動自在に連結しており、その他端部が他方のリンク列のリンク部材の連結部の軸として当該他方のリンク列のリンク部材同士を回動自在に連結して、配されているブラインド装置。
【請求項２】
略Ｕ字状に曲げられた一端部は、羽根部材の一対の嵌合部間にスナップフィット式に嵌合されている請求項１に記載のブラインド装置。
【請求項３】
線状部材は、ステンレス線材からなる請求項１又は２に記載のブラインド装置。
【請求項４】
請求項１から３のいずれか一項に記載のブラインド装置に用いられる前記の支持部材であって、線状部材からなる支持部材。
【発明の詳細な説明】
【０００１】
【発明の属する技術分野】
本発明は、建物の窓等の開口部に配されて、当該開口部を開閉するために用いられるブラインド装置及びこれに用いられる支持部材に関する。
【０００２】
【発明が解決しようとする課題】
この種のブラインド装置は、例えば特開平８−２６０８４３号公報等に記載されているように、多数の羽根部材を、昇降機構の支持部材によりその両端で支持し、昇降機構の作動により羽根部材を昇降させて、当該羽根部材の昇降により開口部を開閉し、併せて、全閉状態において個々の羽根部材を傾動させて、完全目隠し状態又は簾状態にしている。
【０００３】
そしてこの種のブラインド装置では、羽根部材を傾動させるために、昇降機構の一対のリンク機構の夫々に羽根部材が前記の支持部材を介して支持されているが、この支持部材には、アーム部と、このアーム部の各一端に一体形成された軸部と、アーム部の中央部に一体形成された他の軸部と、この他の軸部に一体的に形成された板状部とを具備したものが用いられている。
【０００４】
ところで、前記の支持部材は、ダイキャスト等による一体製造品であるため、それ自体の価格が高く、更に、このような価格の高い支持部材を羽根部材の各端部に一個毎配するため、ブラインド装置全体の価格上昇の一つの要因となっている。
【０００５】
更に、羽根部材は、通常、長尺部材からなる上に、高温又は低温に直接晒される結果、それに熱伸縮が比較的大きく生じるが、前記の支持部材では、羽根部材の熱伸縮を効果的に吸収することが困難であって、場合により、羽根部材を撓ませてしまう虞がある。
【０００６】
加えて、ブラインド装置は、通常、外部に直接晒されるため、羽根部材の表面に凹みや、傷が付いたり、更には、汚れたり、日焼けして、見た目が極めて悪くなることがある。そこで、羽根部材の清掃、交換又は修理を行う必要が生じるが、このような清掃、交換又は修理を、羽根部材のみを取り外して行うことができると、その作業性が向上し極めて望ましいが、前記の支持部材では、それが比較的困難である。
【０００７】
本発明は、前記諸点に鑑みてなされたものであって、その目的とするところは、コストの大幅な低減を図り得る上に、羽根部材の熱伸縮を効果的に吸収でき、しかも、羽根部材の清掃、交換又は修理を容易に行うことができるブラインド装置及びこれに用いられる支持部材を提供することにある。
【０００８】
【課題を解決するための手段】
本発明のブラインド装置は、建物の開口部に配される羽根部材を、昇降機構により昇降、傾動させるようにしてなるブラインド装置であって、羽根部材は、羽根本体と、この羽根本体の内側の少なくともその長手方向の両端部に一体的に形成された一対の嵌合部とを具備しており、羽根本体の両端部の夫々で支持部材を介して昇降機構において羽根本体を傾動させる一対のリンク列を具備したリンク機構に支持されており、各支持部材は、線状部材からなり、略Ｕ字状に曲げられたその一端部が羽根部材の一対の嵌合部間に嵌合されており、その中間部が一方のリンク列のリンク部材の連結部の軸として当該一方のリンク列のリンク部材同士を回動自在に連結しており、その他端部が他方のリンク列のリンク部材の連結部の軸として当該他方のリンク列のリンク部材同士を回動自在に連結して、配されている。
【０００９】
本発明において、略Ｕ字状に曲げられた一端部は、羽根部材の一対の嵌合部間にスナップフィット式に嵌合されている。このように支持部材の一端部が嵌合部間にスナップフィット式に嵌合されていると、羽根部材の支持部材に対する着脱が極めて容易になり、羽根部材の清掃、交換又は修理を容易に行うことができるようになる。支持部材の一端部は、略Ｕ字状であるが、略Ｕ字状としては、Ｕ字状そのものであってもよいが、嵌合部との弾性接触を所望に得るために、蛇行したＵ字状であってもよい。
【００１０】
本発明の線状部材は、好ましくはステンレス線材からなり、これにより防錆に優れた支持部材とし得るが、その他の適宜の弾性及び機械的強度並びに剛性を有した金属線材又は合成樹脂線材であってもよい。
【００１１】
【発明の実施の形態】
次に本発明及びその実施の形態を、図に示す好ましい実施例に基づいて更に詳細に説明する。なお、本発明はこれら実施例に何等限定されないのである。
【００１２】
【実施例】
図１から図５において、本例のブラインド装置１は、建物の開口部２に配される多数の羽根部材３を、昇降機構４により昇降させて、当該羽根部材３の昇降により開口部２を開閉するようにしてなる。
【００１３】
昇降機構４は、上述の特開平８−２６０８４３号公報に記載のように、駆動用の電動モータ１０と、電動モータ１０の出力軸の回転を連結軸１１に伝達する歯車機構１２と、連結軸１１の各端部に連結されたスプロケットホイール及びチルト機構１３と、この各スプロケットホイールに掛けられて、開口部２を規定する一対の縦枠１４ａ及び１４ｂのそれぞれの中に配されたチェーン５ａ及び５ｂと、チェーン５ａ及び５ｂのそれぞれに連結されて各縦枠１４ａ及び１４ｂに配されたリンク機構２０ａ及び２０ｂと、各リンク機構２０ａ及び２０ｂに取り付けられた多数の支持部材１５ａ及び１５ｂとを主に具備している。
【００１４】
昇降機構４は、電動モータ１０の作動により各チェーン５ａ及び５ｂを走行させて、各リンク機構２０ａ及び２０ｂを伸縮させ、而して、支持部材１５ａ及び１５ｂを各縦枠１４ａ及び１４ｂのそれぞれに形成された案内スリット１６ａ及び１６ｂに沿って昇降させ、また各リンク機構２０ａ及び２０ｂが伸ばされた全閉状態において、上記チルト機構１３の作動により、リンク機構２０ａにおいて一方のリンク列２１ａに対して他方のリンク列２２ａに、同じくリンク機構２０ｂにおいて一方のリンク列２１ｂに対して他方のリンク列２２ｂに夫々相対的な位置変位（上下方向Ａの位置変位）を生じさせて、支持部材１５ａ及び１５ｂをＢ方向に揺動させるようになっている。各支持部材１５ａ及び１５ｂの昇降及び揺動により、当該各支持部材１５ａ及び１５ｂに両端で支持された羽根部材３も昇降され傾動される。
【００１５】
昇降機構４は、上記公報に記載のものと同じであるので、詳細な説明を省略し、以下においては、縦枠１４ａ側に配されるものを数字符号にａを付し、縦枠１４ｂ側に配されるものを数字符号にｂを付し、特に言及しない場合には、縦枠１４ａ側と縦枠１４ｂ側とは同様に構成されており、したがって、縦枠１４ａ側についてのみ詳述し、縦枠１４ｂ側については、図示のみとする。電動モータ１０等は、縦枠１４ａ及び１４ｂを橋絡して配された上枠１７内に収容されており、縦枠１４ａ及び１４ｂの上部には、これらを橋絡して前面化粧カバー１８が設けられている。１９は、水切り枠である。
【００１６】
各羽根部材３は、羽根本体２５と、羽根本体２５の内側（裏面）２６にその長手方向Ｃに沿って一体的にかつ互いに平行に形成された一対の嵌合部としての嵌合突起２７及び２８とを具備している。各羽根部材３は、羽根本体２５のその長手方向Ｃの両端部３３ａ及び３３ｂの夫々で、昇降機構１３において開口部２の両側に配される支持部材１５ａ及び１５ｂに支持されている。
【００１７】
支持部材１５ａは、ステンレス製の線状部材からなり、案内スリット１６ａを介して縦枠１４ａ外に配されて略Ｕ字状に曲げられたその一端部４１ａが羽根部材３の一対の嵌合部２７及び２８間に、当該一端部４１ａ並びに嵌合部２７及び２８の弾性を利用してスナップフィット式に嵌合されており、縦枠１４ａ内のその中間部４２ａが一方のリンク列２１ａのリンク部材４３ａ及び４４ａの一端側の連結部の軸として当該一方のリンク列２１ａのリンク部材４３ａ及び４４ａの一端側同士を回動自在に連結しており、縦枠１４ａ内のその他端部４５ａが他方のリンク列２２ａのリンク部材４６ａ及び４７ａの一端側の連結部の軸として当該他方のリンク列２２ａのリンク部材４６ａ及び４７ａの一端側同士を回動自在に連結して、配されている。
【００１８】
支持部材１５ａにおいてその一端部４１ａと中間部４２ａとの間には、ローラ４８ａが回転自在に装着されており、ローラ４８ａを介して支持部材１５ａは、案内スリット１６ａによりその昇降が案内されるようになっている。本例では、支持部材１５ａの他端部４５ａの先端は、リンク部材４６ａ及び４７ａが抜け出さないように、若干大径に形成されているが、これに代えて又はこれと共に、他端部４５ａの先端に環状溝を形成して、この環状溝にＥリング等を嵌着して、リンク部材４６ａ及び４７ａが支持部材１５ａの他端部４５ａから抜け出さないようにしてもよい。
【００１９】
リンク部材４３ａ及び４４ａの他端側同士は、軸５１ａにより、また、リンク部材４６ａ及び４７ａの他端側同士は、軸５２ａにより夫々回動自在に連結されており、リンク部材４３ａ及び４７ａの夫々は、リンク列２１ａ及び２２ａの曲折（曲げ）方向を規定する規制片部５３ａ及び５４ａを具備して形成されている。
【００２０】
以上のように形成されたブラインド装置１では、昇降機構４の作動により羽根部材３は昇降され、これにより、開口部２は羽根部材３により開閉され、全閉状態において羽根部材３が傾動されると、完全目隠し状又は簾状にされる。
【００２１】
そしてブラインド装置１では、支持部材１５ａがステンレス製の線状部材からなるため、きわめて廉価に構成することができ、しかも錆が生じ難く、その上、清掃、交換又は修理のために羽根部材３のみを取り外す際には、一端部４１ａと嵌合部２７及び２８との弾性を利用したスナップフィット式の嵌合を解除すればよく、羽根部材３の清掃、交換又は修理を極めて簡単に行うことができるのである。
【００２２】
更にブラインド装置１では、一端部４１ａと嵌合部２７及び２８との弾性を利用したスナップフィット式の嵌合が、羽根部材３の長手方向Ｃにおいては摺動自在となるようになされているため、羽根部材３の熱伸縮は、一端部４１ａと嵌合部２７及び２８との間の羽根部材３の長手方向Ｃにおける相対的な摺動により吸収され、而して、熱伸縮により羽根部材３が曲ったりするような不都合をもなくし得る。
【００２３】
【発明の効果】
本発明によれば、コストの大幅な低減を図り得る上に、羽根部材の清掃、交換又は修理を容易に行うことができ、その上、羽根部材の熱伸縮による不都合をも生じさせないブラインド装置及びこれに用いられる支持部材を提供することができる。
【図面の簡単な説明】
【図１】図５に示す本発明の好ましい一実施例の一方の縦枠側の羽根部材の取付状態の説明図である。
【図２】図１に示す一方の縦枠側の羽根部材の取付状態における平面説明図である。
【図３】図５に示す本発明の好ましい一実施例の他方の縦枠側の羽根部材の取付状態の説明図である。
【図４】図３に示す他方の縦枠側の羽根部材の取付状態における平面説明図である。
【図５】本発明の好ましい一実施例の斜視図である。
【符号の説明】
１  ブラインド装置
２  開口部
３  羽根部材
４  昇降機構
１５ａ、１５ｂ  支持部材
２０ａ、２０ｂ  リンク機構
２１ａ、２２ａ  リンク列
２５  羽根本体
２７、２８  嵌合突起
４１ａ  一端部
４２ａ  中間部
４３ａ、４４ａ  リンク部材
４５ａ  他端部
４６ａ、４７ａ  リンク部材
【図１】
0003780675.tif 000002
【図２】
0003780675.tif 000003
【図３】
0003780675.tif 000004
【図４】
0003780675.tif 000005
【図５】
0003780675.tif 000006